(57)【要約】【課題】便座を便器から取り外さなくても、便座の便器への取付部と便器の間の隙間を容易に清掃することができる便器を提供することである。【解決手段】便座５が回動可能に固定された便器において、便座５を閉じた状態で便座５と便器の間に、シート状の清掃部材を引き込む回転部材１４を設けた。前記回転部材１４は、清掃部材の進行方向と直角方向に延びるローラとした前記回転部材１４は、駆動手段で駆動される。シート状の清掃部材は、紙である。【選択図】図１
2007291726.tif 000002
【特許請求の範囲】
【請求項１】
便座装置が便器本体に設置される便器において、便座装置と便器本体の間に、シート状の清掃部材を引き込む回転部材を設けたことを特徴とする便器。
【請求項２】
前記回転部材は、清掃部材の進行方向と直角方向に延びるローラであることを特徴とする請求項１に記載の便器。
【請求項３】
前記回転部材は、駆動手段で駆動されることを特徴とする請求項１又は２に記載の便器。
【請求項４】
シート状の清掃部材は、紙であることを特徴とする請求項１〜３のうちのいずれか一項に記載の便器。
【発明の詳細な説明】
【技術分野】
【０００１】
本発明は、便座装置と便器本体の間を清潔に保つことができる便器に関するものである。
【背景技術】
【０００２】
従来からトイレは、清潔に保つための様々な工夫が施されてきた。特に便器を清潔にすることによって、トイレの見栄えが良くなるばかりでなく、悪臭を抑制することもできる。その結果、人はトイレを快適に使用することができるようになる。このようなトイレ（便器）を清潔に保つための発明が、例えば特許文献１に開示されている。
【特許文献１】特開２００５−１０５５４６号公報
【発明の開示】
【発明が解決しようとする課題】
【０００３】
ところで、便器本体の便座装置取付部と便座装置の隙間に付着した汚れは、便座装置を便器本体から取り外さなければ清掃することができなかった。便座装置のうちでも、特に温水便座装置は、取外して清掃するのは煩雑である。
【０００４】
そこで本発明は、便座装置を便器本体から取り外さなくても、便器本体の便座装置取付部と便座装置の間の隙間を容易に清掃することができる便器を提供することを課題としている。
【課題を解決するための手段】
【０００５】
上記課題を解決するための請求項１の発明は、便座装置が便器本体に設置される便器において、便座装置と便器本体の間に、シート状の清掃部材を引き込む回転部材を設けたことを特徴とする便器である。請求項１の発明では、便座装置と便器本体の間に、シート状の清掃部材を引き込む回転部材を設けたので、便座を取り外すことなく便器本体の便座装置取付部と便座装置の間の隙間を容易に清掃することができる。清掃作業者は、従来のような便座装置を便器から取り外して清掃し、さらに清掃後に便座装置を元通りに便器に設置する手間が不要になり、清掃の作業能率が向上する。
【０００６】
請求項２の発明は、前記回転部材は、清掃部材の進行方向と直角方向に延びるローラであることを特徴とする請求項１に記載の便器である。請求項２の発明では、回転部材が、清掃部材の進行方向と直角方向に延びるローラであるため、シート状の清掃部材はローラによって均一に引き込まれると同時に、便座装置と便器本体の間の隙間を容易に清掃することができる。
【０００７】
請求項３の発明は、前記回転部材は、駆動手段で駆動されることを特徴とする請求項１又は２に記載の便器である。駆動手段としては、動力源として例えば手動式やモータのような電動式でもよく、その動力は直接的に回転部材に伝達（すなわち、回転部材の回転軸に直結）してもよく、又は間接的にギア機構等を介して回転部材に伝達してもよい。請求項３の発明では、回転部材が駆動手段で駆動されるので、シート状の清掃部材は、円滑に引き込まれ、便座装置と便器本体の間を良好に清掃することができる。
【０００８】
請求項４の発明は、前記シート状の清掃部材は、紙であることを特徴とする請求項１〜３のうちのいずれかに記載の便器である。紙は、トイレにそのまま流してもよい素材のものが好ましい。請求項４の発明では、シート状の清掃部材が紙であるため、安価に便座装置と便器本体の間の隙間を清掃することができる。シート状の清掃部材は、清掃後は破棄することもできる。
【発明の効果】
【０００９】
本発明では、便座装置と便器本体の間に、シート状の清掃部材を引き込む回転部材を設けたので、便座装置を取り外すことなく便器本体の便座装置取付部と便座装置の間の隙間を容易に清掃することができる。また、清掃作業者は、従来のような便座装置を便器本体から取り外して清掃し、さらに清掃後に便座装置を元通りに便器本体に設置する手間が不要になり、清掃の作業能率が向上する。
【発明を実施するための最良の形態】
【００１０】
図１は、本発明を実施した洋風の便器１の分解斜視図である。また、図２は、本発明を実施した洋風の便器１の一部を切り欠いた斜視図である。図１及び図２に示すように、便器１は、リム２（便器本体）と便座装置３とが組み合わされて構成される。図１及び図２に示す便座装置３は、温水便座装置であり、便座５の上側には蓋４が設けてあり、便座５と蓋４はリム２に対して一体に取付け及び取外しができるようになっている。以下では、便宜上、便座５と蓋４とを併せて便座装置３と呼ぶことにする。
【００１１】
リム２の便座取付部２ａは平坦であり、便座取付部２ａの両側二カ所には磁石１２が設けてある。また、便座装置３の、磁石１２に対応する位置は、鉄等の磁性体が配置されており、便座装置３はリム２に磁力で固定することができるようになっている。また、リム２に対する便座装置３の取付位置は、図示しないピボット等で位置決めが行われるようになっている。
【００１２】
両者の固定に磁石１２を用いる代わりに、便座装置３側に二本の軸（図示せず）を立て、リム２側には二本の軸に対応する穴（図示せず）を設け、便座装置３をリム２に装着する際には、二本の軸をリム２の穴に挿入させて便座装置３をリム２に固定するようにしてもよい。このようにすれば、位置決めのためのピボットを設ける必要はなくなる。
【００１３】
次に、本発明の主要構成であるローラ１４（回転部材）について図２を参照しながら説明する。図２は、便座装置３に設けた回転部材であるローラ１４で、シート状の清掃部材である清掃用紙１５を巻き込む直前の便座装置３の斜視図である。
【００１４】
まず、回転部材であるローラ１４の構成を説明し、次に清掃方法を説明する。図２に示すように二つのローラ１４が、便座装置３の裏面３ａ側に回転可能に設置されている。二つのローラ１４には、各々ギア１４ａが設けてある。二つのギア１４ａは、互いに離れているが、各々に同じ中間ギア１６が噛み合っており、中間ギア１６を介して動力が伝達されて、同じ向きに回転することができるようになっている。
【００１５】
図２に示すように、一方のローラ１４のギア１４ａには、駆動手段であるモータ１７の回転軸に固定した駆動ギア１８が噛んでいる。よって、モータ１７の回転力は、駆動ギア１８から一方のローラ１４、中間ギア１６、他方のギア１４ａへと伝達されるようになっている。モータ１７は、図示しない信号線を介して駆動のＯＮ、ＯＦＦを切り替えることができるようになっており、清掃作業者がスイッチを押すことによって駆動されるようになっている。駆動源としてモータ１７を使用する代わりに、手動でどちらかのローラ１４のギア１４ａ、または、中間ギア１６を回転させるようにしてもよい。
【００１６】
ローラ１４の外周側面は、シート状の清掃部材である清掃用紙１５を引き入れ易く（巻き込み易く）するために、表面が粗い摩擦係数が大きい素材（例えば、ウレタンやゴム等の軟質材料）を採用するのが好ましい。ローラ１４の外周側面に微少の凹凸を設けてもよい。便座装置３とリム２の間であって、便座取付部２ａ以外の部分は、１〜３ｍｍほどの隙間１９が形成されている。また、ローラ１４の外周側面の最下端部分２０は、便座装置３の便座取付部２ａ以外の部分の下面からわずかに突出している。突出量は、０．５〜２ｍｍである。
【００１７】
よって、リム２の上面（縁）と、ローラ１４の外周側面の最下端部分２０の間は、０．５〜１ｍｍ程度の隙間２１が形成される。この隙間２１の大きさは、使用する清掃用紙１５の厚みと、ローラ１４の外周側面の表面荒さとを勘案して任意に決定することができる。
【００１８】
次に、清掃方法について説明する。上述のように構成された便器１にシート状の清掃部材である清掃用紙１５を供給する。図２に示すように、まず清掃用紙１５を、手前側のローラ１４と便座取付部２ａの間に差し込む。図２は、厳密には差し込む直前の状態を示している。
【００１９】
そして、モータ１７を駆動させると、各ギアの動作によってローラ１４が回転駆動され、清掃用紙１５は便座装置３とリム２の間に引き込まれ、同時に両者の間を清掃する。清掃用紙１５は、清掃後、そのままリム２の中へ破棄できるような素材のものが好ましい。例えば、トイレットペーパとして採用されている素材の紙である。
【００２０】
このようにして構成された便器１は、便座装置３をリム２から取り外すことなく容易に便座装置３とリム２の間に形成された隙間１９（又は隙間２１）内を清掃することができる。清掃用紙１５を、堅い層と汚れを吸着させる層とで構成し、清掃用紙１５の先端をローラ１４とリム２の間（隙間２１）に差し込み、清掃用紙１５が二つのローラ１４を介して反対側に出てきたところを反対側から清掃用紙１５を引っ張ることにより清掃してもよい。このようにすると、駆動源（モータ１７）は不要になる。
【００２１】
上述の実施例では、ローラ１４を二つ設ける例を示したが、ローラ１４の設置数は、必要に応じて適宜選定することができる。すなわち、一つでも、二つ以上の複数であってもよい。駆動源を設けないのであれば、ローラ１４の設置数は少ない方が好ましい。さらに、清掃用紙１５は、便器１のどちら側から差し込み、且つ、ローラ１４で巻き込んでもよい。逆方向に移動させるようにしてもよい。また、図示していないが、赤外線センサ等の検出手段を設け、清掃用紙１５の有無を確認するようにしてもよい。
【図面の簡単な説明】
【００２２】
【図１】本発明を実施した洋風の便器の分解斜視図である。
【図２】本発明を実施した洋風の便器の一部を切り欠いた斜視図である。
【符号の説明】
【００２３】
１    便器
２    リム（便器本体）
２ａ  便座取付部
３    便座装置
３ａ  裏面
４    蓋
５    便座
１２  磁石
１４  ローラ（回転部材）
１４ａ  ギア
１５  清掃用紙
１６  中間ギア
１７  モータ（駆動手段）
１８  駆動ギア
１９  隙間
２０  ローラの最下端部分
２１  隙間
【図１】
2007291726.tif 000003
【図２】
2007291726.tif 000004